(57)【要約】【課題】容器本体に設けられた本体側連結部と、板状蓋体に設けられた蓋体側連結部とによるヒンジ部の回転連結部の隙間に、埃や汚れが溜まるのを回避できると共に、容器の上面部分の付着物を簡単に拭き取ることのできるヒンジ付き封入容器を提供する。【解決手段】箱状の容器本体１１と、ヒンジ部１３を介して容器本体１１に連結される板状蓋体１２とからなる封入容器であって、ヒンジ部１３は、容器本体１１の上端部から外側に張り出して設けられた本体側連結部１９の一対の本体側回転係合部２０に、板状蓋体１２から外側に張り出して設けられた蓋体側連結部２１の一対の蓋側回転係合部２２を、回転可能にヒンジ連結して形成されており、板状蓋体１２には、上面を上面板１７の上面と連続させた状態で外側に張り出す庇状張出し部２４が、ヒンジ部１３の本体側回転係合部２０と蓋側回転係合部２２よる一対の回転連結部２３の上方を覆って設けられている。【選択図】図２
2014108794.tif 000002
【特許請求の範囲】
【請求項１】
底壁部と周壁部とを含み上面開口面となった箱状の容器本体と、ヒンジ部を介して前記容器本体の周壁部の上端部に回転可能に連結され、前記開口面を開閉可能に覆う板状蓋体とからなるヒンジ付き封入容器であって、
前記容器本体の周壁部の上端部内周面に周方向に環状に連続して設けられた本体側環状装着部に、前記板状蓋体の上面板の周縁部分の下面から下方に突出して環状に連続して設けられた蓋体側環状装着部を、閉塞時に内側から密着させた状態で装着させており、
前記ヒンジ部は、前記容器本体の周壁部の上端部から外側に張り出して設けられた本体側連結部の一対の本体側回転係合部に、前記板状蓋体の前記蓋体側環状装着部の外側部分から張り出して設けられた蓋体側連結部の一対の蓋側回転係合部を、回転可能に各々ヒンジ連結することによって形成されており、
且つ前記板状蓋体には、上面を前記上面板の上面と連続させた状態で外側に張り出す庇状張出し部が、前記ヒンジ部の少なくとも前記本体側回転係合部と前記蓋側回転係合部よる一対の回転連結部の上方を覆って設けられているヒンジ付き封入容器。
【請求項２】
前記庇状張出し部は、先端縁部の両側の端部が、前記一対の蓋側回転係合部よりも側方部分に設けられた斜め縁部を介して、前記上面板の周縁部と接続している請求項１記載のヒンジ付き封入容器。
【請求項３】
前記庇状張出し部は、少なくとも前記一対の蓋側回転係合部の間の部分を外側から覆うようにして先端縁部から下方に折れ曲がって延設する先端カバー壁を備えている請求項１又は２記載のヒンジ付き封入容器。
【請求項４】
前記容器本体の周壁部の上端部から外側に張り出して設けられた前記本体側連結部には、前記一対の本体側回転係合部から両側の端部に向けて張出し高さを徐々に減少させた、張出しスロープ部が設けられている請求項１〜３のいずれか１項記載のヒンジ付き封入容器。
【発明の詳細な説明】
【技術分野】
【０００１】
本発明は、ヒンジ付き封入容器に関し、特に、上面が開口面となった箱状の容器本体と、ヒンジ部を介して容器本体に回転可能に連結されて開口面を開閉可能に覆う板状蓋体とからなるヒンジ付き封入容器に関する。
【背景技術】
【０００２】
従来より、例えばトイレ掃除用のウェットシートや、その他の種々の収容物を封入した状態で収容する容器として、上面が開口面となった箱状の容器本体と、ヒンジ部を介して容器本体に回転可能に連結されて開口面を開閉可能に覆う板状蓋体とからなる、ヒンジ付き封入容器が知られている（例えば、特許文献１、特許文献２参照）。
【０００３】
これらのヒンジ付き封入容器では、容器本体の上端部内周面に、周方向に環状に連続する本体側環状装着部が設けられており、この本体側環状装着部に、板状蓋体の下面から下方に突出して環状に連続して設けられた蓋体側環状装着部を、内側から密着させた状態で装着させることにより、開口面を閉塞した際に収容物を内部に封入できるようになっている。また本体側環状装着部と蓋体側環状装着部との全周に亘る密着状態を阻害しないように、ヒンジ部は、容器本体の上端部から外側に張り出して設けられた本体側連結部の本体側回転係合部と、板状蓋体の蓋体側環状装着部の外側部分から外側に張り出して設けられた蓋体側連結部の蓋側回転係合部とを、ヒンジ連結することによって形成されている。
【先行技術文献】
【特許文献】
【０００４】
【特許文献１】特開平１０−１０１１０６号公報
【特許文献２】特開２００５−２８０７１３号公報
【発明の概要】
【発明が解決しようとする課題】
【０００５】
上記従来のヒンジ付き封入容器では、板状蓋体を容器本体に回転可能に連結するヒンジ部は、容器本体の上端部から外側に張り出して設けられた本体側連結部の、係合ピンやピン孔からなる一対の本体側回転係合部に、板状蓋体から外側に張り出して設けられた蓋体側連結部の、ピン孔や係合ピンからなる一対の蓋側回転係合部を、回転可能に各々係合することで形成されることになるが、こられの係合ピンやピン孔による回転連結部には、対向して位置された、係合ピンが突出するピン側回転対向面とピン孔が形成された孔側回転対向面との間に幅の狭い隙間が生じているので、これらの隙間に埃や汚れが溜まり易くなる。
【０００６】
また、ヒンジ付き封入容器は、例えばトイレ掃除用のウェットシートを複数枚積層した状態で収容して、トイレの床面に設置して用いられることがあり、尿の飛沫などが容器の上面部分に付着し易くなるが、尿の飛沫などの付着物が付着した上面部分の、特に外側に張り出したヒンジ部の部分では、ピン孔や係合ピンによる回転連結部に幅の狭い隙間や凹凸が存在しているので、ウェットシート等を用いて、好ましくは一拭きで付着した付着物を簡単に拭き取って除去することが困難になる。
【０００７】
本発明は、容器本体の上端部から張り出して設けられた本体側連結部と、板状蓋体から張り出して設けられた蓋体側連結部とによるヒンジ部の回転連結部の隙間に、埃や汚れが溜まり易くなるのを効果的に回避できると共に、容器の上面部分に付着した付着物を簡単に拭き取って除去することのできるヒンジ付き封入容器を提供することを目的とする。
【課題を解決するための手段】
【０００８】
本発明は、底壁部と周壁部とを含み上面が開口面となった箱状の容器本体と、ヒンジ部を介して前記容器本体の周壁部の上端部に回転可能に連結され、前記開口面を開閉可能に覆う板状蓋体とからなるヒンジ付き封入容器であって、前記容器本体の周壁部の上端部内周面に周方向に環状に連続して設けられた本体側環状装着部に、前記板状蓋体の上面板の周縁部分の下面から下方に突出して環状に連続して設けられた蓋体側環状装着部を、内側から密着させた状態で装着させることにより、前記開口面の閉塞時に収容物を内部に封入できるようになっており、前記ヒンジ部は、前記容器本体の周壁部の上端部から外側に張り出して設けられた本体側連結部の一対の本体側回転係合部に、前記板状蓋体の前記蓋体側環状装着部の外側部分から張り出して設けられた蓋体側連結部の一対の蓋側回転係合部を、回転可能に各々ヒンジ連結することによって形成されており、且つ前記板状蓋体には、上面を前記上面板の上面と連続させた状態で外側に張り出す庇状張出し部が、前記ヒンジ部の少なくとも前記本体側回転係合部と前記蓋側回転係合部よる一対の回転連結部の上方を覆って設けられているヒンジ付き封入容器を提供することにより、上記目的を達成したものである。
【発明の効果】
【０００９】
本発明のヒンジ付き封入容器によれば、容器本体の上端部から張り出して設けられた本体側連結部と、板状蓋体から張り出して設けられた蓋体側連結部とによるヒンジ部の回転連結部の隙間に、埃や汚れが溜まり易くなるのを効果的に回避できると共に、容器の上面部分に付着した付着物を簡単に拭き取って除去することができる。
【図面の簡単な説明】
【００１０】
【図１】本発明の好ましい一実施形態に係るヒンジ付き封入容器を正面側から見た斜視図である。
【図２】本発明の好ましい一実施形態に係るヒンジ付き封入容器を、板状蓋体を開いた状態で示す側面図である。
【図３】本発明の好ましい一実施形態に係るヒンジ付き封入容器をヒンジ部側から見た斜視図である。
【図４】本発明の好ましい一実施形態に係るヒンジ付き封入容器をヒンジ部側の斜め下方から見た斜視図である。
【図５】ヒンジ部の構成を説明する図４のＡ−Ａに沿った断面図である。
【図６】（ａ）は図３のＢ−Ｂに沿った断面図、（ｂ）は（ａ）のＣ部拡大図である。
【図７】本発明の他の形態に係るヒンジ付き封入容器をヒンジ部側の斜め下方から見た斜視図である。
【図８】本発明の他の形態に係るヒンジ付き封入容器をヒンジ部側の斜め下方から見た斜視図である。
【図９】ヒンジ部の他の形態を例示する略示分解斜視図である。
【発明を実施するための形態】
【００１１】
図１〜図６に示す本発明の好ましい一実施形態に係るヒンジ付き封入容器１０は、収容物として、例えばトイレ掃除用のウェットシートを複数枚積層した状態で収容して、トイレの床面に設置して用いられる。また、本発明のヒンジ付き封入容器１０は、箱状の容器本体１１に板状蓋体１２を回転可能に連結するヒンジ部１３が、容器の上面部分に表れないようにして、当該上面部分の全体を実質的に滑らかに連続させることで、当該上面部分に付着した尿の飛沫等の付着物を、ウェットシート等を用いて簡単に拭き取って除去できるようにする機能を備えると共に、ヒンジ部１３に埃や汚れが溜まり易くなるのを回避できるようにする機能を備える。
【００１２】
そして、本実施形態のヒンジ付き封入容器１０は、底壁部１４と周壁部１５とを含み上面が開口面となった箱状の容器本体１１と、ヒンジ部１３を介して容器本体１１の周壁部１５の上端部に回転可能に連結され、容器本体１１の開口面を開閉可能に覆う板状蓋体１２とからなる封入容器であって、容器本体１１の周壁部１５の上端部内周面に周方向に環状に連続して設けられた本体側環状装着部１６（図６（ａ）、（ｂ）参照）に、板状蓋体１２の上面板１７の周縁部分の下面から下方に突出して環状に連続して設けられた蓋体側環状装着部１８（図６（ａ）、（ｂ）参照）を、内側から密着させた状態で装着させることにより、容器本体１１の開口面の閉塞時に収容物を内部に封入できるようになっている。ヒンジ部１３は、容器本体１１の周壁部１５の上端部から外側に張り出して設けられた本体側連結部１９の一対のピン孔を有する本体側回転係合部２０（図５参照）に、板状蓋体１２の蓋体側環状装着部１８の外側部分から外側に張り出して設けられた蓋体側連結部２１の一対の係合ピンを有する蓋側回転係合部２２（図５参照）を、回転可能に各々挿入してヒンジ連結することによって形成されている。且つ板状蓋体１２には、上面を上面板１７の上面と連続させた状態で外側に張り出す庇状張出し部２４が、ヒンジ部１３の少なくとも本体側回転係合部２０と蓋側回転係合部２２よる一対の回転連結部２３（図５参照）の上方を覆って設けられている。
【００１３】
また、本実施形態では、庇状張出し部２４は、先端縁部２４ａの両側の端部が、一対の蓋側回転係合部２２よりも側方部分に設けられた斜め縁部２４ｂを介して、上面板１７の周縁部１７ａと接続している。
【００１４】
さらに、本実施形態では、庇状張出し部２４は、少なくとも一対の蓋側回転係合部２２の間の部分を容器の外側から覆うようにして先端縁部２４ａから下方に折れ曲がって延設する先端カバー壁２５を備えている。
【００１５】
さらにまた、本実施形態では、容器本体１１の周壁部１５の上端部から外側に張り出して設けられた本体側連結部１９には、一対の本体側回転係合部２０から両側の端部に向けて張出し高さを徐々に減少させた、張出しスロープ部２６が設けられている。
【００１６】
本実施形態では、容器本体１１は、例えばポリプロピレン（ＰＰ）、高密度ポリエチレン （ＨＤＰＥ）などのプラスチック材料からなる射出成形品であって、底壁部１４と４方の周壁部１５とからなる、上面が開口面となった、略矩形の平面形状を備える底の深い略六面体形状の箱体として形成されている。容器本体１１の周壁部１５の上端部内周面には、周壁部１５の上端から数ｍｍ程度下がった位置に、段差部１６ａが設けられており（図６参照）、この段差部１６ａよりも上方の部分が、周方向に環状に連続して設けられた本体側環状装着部１６となっている。上面の開口面を板状蓋体１２によって閉塞する際に、この本体側環状装着部１６に、板状蓋体１２の下面から下方に突出して設けられた蓋体側環状装着部１８が、全周に亘って内側から密着して装着されることで、収容物であるウェットシートを内部に密封状態で封入して、ウェットシートが乾燥するのを効果的に回避できるようになっている。
【００１７】
また、容器本体１１の上端部には、当該上端部を断面コの字形状に外側に折り曲げるようにして、周縁補強台２７が形成されている。上面の開口面を板状蓋体１２によって覆うように塞ぐ際に、この周縁補強台２７には、板状蓋体１２の上面板１７の周縁部を断面Ｌ字形状に下方に折り曲げるようにして形成された、スカート壁２８の下端部が当接する。本実施形態では、周縁補強台２７における略矩形の平面形状の一方の長辺部の中央部分から外側に張り出して、ヒンジ部１３の本体側連結部１９を構成する一対の本体側回転係合部２０が、間隔をおいて、具体的にはピン孔が形成され孔側回転対向面２０ａ（図５参照）を対向配置させた状態で設けられている。本体側連結部１９には、一対の本体側回転係合部２０の間の間隔部分とは反対側に両側に延設して、張出しスロープ部２６が、両側の端部に向けて張出し高さを徐々に減少させた状態で設けられている。各々の張出しスロープ部２６の端部は、周縁補強台２７による容器本体１１の周壁部１５の上端部における角部近傍部分の外周面１５ａに、滑らかに接続するようになっている。周縁補強台２７における略矩形の平面形状の他方の長辺部の中央部には、板状蓋体１２の係着爪を係着させる係着爪突起３０ａ（図２参照）が設けられている。
【００１８】
板状蓋体１２は、容器本体１１と同様に、例えばポリプロピレン（ＰＰ）、高密度ポリエチレン（ＨＤＰＥ）などのプラスチック材料からなる射出成形品であって、容器本体１１と同様の、略矩形の平面形状を備えように形成されている。板状蓋体１２は、上面板１７と、上面板１７の周縁部を断面Ｌ字形状に下方に折り曲げるようにして形成されたスカート壁２８とからなり、さらに、スカート壁２８の内側に当該スカート壁２８と間隔をおいて、蓋体側環状装着部１８が、板状蓋体１２の上面板１７の周縁部分の下面から下方に突出して、環状に連続して設けられている（図６（ｂ）参照）。容器本体１１の上面の開口面を板状蓋体１２によって閉塞する際に、上述のように、スカート壁２８の下端部が、容器本体１１の周縁補強台２７の上面に当接すると共に、蓋体側環状装着部１８が、容器本体１１の本体側環状装着部１６に内側から密着する。
【００１９】
また、本実施形態では、上面板１７の略矩形の平面形状の一方の長辺部に沿ったスカート壁２８の中央部分から外側に張り出して、ヒンジ部１３の蓋体側連結部２１を構成する一対の蓋側回転係合部２２が、例えば縦板状に突出して設けられている。これらの一対の縦板状の蓋側回転係合部２２は、容器本体１１に設けられた、例えばピン孔が形成された一対の本体側回転係合部２０の間の間隔と略同様の、これよりも狭い間隔をおいて、例えば係合ピンを突出させたピン側回転対向面２２ａを対称に背向配置させた状態で設けられている。
【００２０】
板状蓋体１２の上面板１７は、本実施形態では、好ましくは美観等を考慮して、その上面が中央部分に向けて緩やかに盛り上がった形状に形成されており、また無視できる程度の極僅かな段差１７ｂや緩やかな凹凸１７ｃのみが形成されていることで、上面板１７の上面は、その全体が、ウェットシート等を用いて、連続する拭き取り操作によって付着物を容易に拭き取ることが可能な、実質的に滑らかに連続する面となっている（図１、図３参照）。そして、本実施形態では、略矩形の平面形状の板状蓋体１２の蓋体側連結部２１が張り出した一方の長辺部の中央部分に、庇状張出し部２４が、これの上面を、上面板１７の滑らかに連続する上面と連続させた状態で外側に張り出して設けられている。
【００２１】
すなわち、本実施形態では、庇状張出し部２４は、これの上面を、蓋体側環状装着部１８が設けられた上面板１７の周縁部分の上面と面一に連続させて、スカート壁２８が設けられた上面板１７の周縁部を越えて、スカート壁２８よりも外側に張り出して設けられている。また、庇状張出し部２４は、スカート壁２８から外側に張り出して設けられた一対の蓋側回転係合部２２の間の部分では、当該蓋側回転係合部２２の張出し長さと同様の張出し長さで設けられていると共に、一対の蓋側回転係合部２２の間の部分を外側から覆うようにして、先端縁部２４ａから下方に折れ曲がって延設する先端カバー壁２５が設けられている。先端カバー壁２５は、その両端が一対の蓋側回転係合部２２の張出し先端部に各々一体として接合されていることで、一対の蓋側回転係合部２２に跨って設けられて（図５参照）、例えば係合ピンを突出させた一対の蓋側回転係合部２２を効果的に補強できるようになっている。さらに、庇状張出し部２４は、一対の蓋側回転係合部２２よりも側方部分に設けられた斜め縁部２４ｂを介して、先端縁部２４ａの両側の端部が、上面板１７の略矩形の平面形状の角部近傍部分において、スカート壁２８が設けられた上面板１７の周縁部１７ａと接続している（図１、図３参照）。
【００２２】
また、本実施形態では、上面板１７の略矩形の平面形状の他方の長辺部に沿ったスカート壁２８には、両側の角部分を除いた略全域に亘って、円弧形状に下方に延設する舌状係着壁２９が設けられている。舌状係着壁２９の中央部の下部内側面には、係着爪が設けられており、この係着爪を、容器本体１１の周縁補強台２７に設けられた係着爪突起３０ａ（図２参照）に係着させることで、容器本体１１の上面の開口面を板状蓋体１２によって閉塞した状態を、安定して保持できるようになっている。
【００２３】
ヒンジ付き封入容器１０を構成する容器本体１１と板状蓋体１２とは、別々に形成された後に、例えば容器本体１１の本体側連結部１９の上方から、一対の本体側回転係合部２０の間の間隔部分に、板状蓋体１２の蓋体側連結部２１の一対の蓋側回転係合部２２を、無理押しするようにして押し込む（打ち込む）ことで、本体側回転係合部２０に設けられたピン孔に、蓋側回転係合部２２に設けられた係合ピンを係合させる。これによって、容器本体１１と板状蓋体１２とを、ヒンジ部１３を介して回転可能に連結一体化させて、ヒンジ付き封入容器１０を形成する。形成されたヒンジ付き封入容器１０の箱状の容器本体１１の内部には、例えばトイレ掃除用のウェットシートを複数枚積層して封入した状態で収容し、容器本体１１の上面の開口面を板状蓋体１２によって開閉しながら、ウェットシートを取出して使用する。
【００２４】
そして、上述の構成を備える本実施形態のヒンジ付き封入容器１０によれば、容器本体１１の上端部から張り出して設けられた本体側連結部１９と、板状蓋体１２から張り出して設けられた蓋体側連結部２１とによるヒンジ部１３の回転連結部２３の隙間に、埃や汚れが溜まり易くなるのを効果的に回避できると共に、容器の上面部分に付着した付着物を簡単に拭き取って除去することが可能になる。
【００２５】
ずなわち、本実施形態によれば、ヒンジ部１３は、容器本体１１の周壁部１５から張り出して設けられた本体側連結部１９の一対の本体側回転係合部２０に、板状蓋体１２から外側に張り出して設けられた蓋体側連結部２１の一対の蓋側回転係合部２２を、回転可能にヒンジ連結することによって形成されており、且つ板状蓋体１２には、上面を上面板１７の上面と連続させた状態で外側に張り出す庇状張出し部２４が、ヒンジ部１３の本体側回転係合部２０と蓋側回転係合部２２よる一対の回転連結部２３の上方を覆って設けられているので、ヒンジ部１３の一対の回転連結部２３が、容器の上面部分に表れないようにして、当該上面部分の全体を実質的に滑らかに連続させることで、当該上面部分に付着した尿の飛沫等の付着物を、ウェットシート等を用いて簡単に拭き取って除去することが可能になると共に、ヒンジ部１３の回転連結部２３の隙間に、埃や汚れが溜まったり、付着物が付着するのを効果的に回避することが可能になる。
【００２６】
また、本実施形態によれば、庇状張出し部２４は、先端縁部２４ａの両側の端部が斜め縁部２４ｂを介して上面板１７の周縁部１７ａに接続しているので、板状蓋体１２の外周縁部に沿って周方向に拭き取る操作を、スムーズに行うことが可能になると共に、一対の蓋側回転係合部２２の間の部分を外側から覆う先端カバー壁２５を備えているので、一対の蓋側回転係合部２２の間の部分に段差や凹凸の無い平滑な面を形成して、板状蓋体１２の外周縁部に沿って周方向に拭き取る操作を、よりスムーズに行うことが可能になる。
【００２７】
さらに、本実施形態によれば、容器本体１１の周壁部１５の上端部から外側に張り出して設けられた本体側連結部１９には、一対の本体側回転係合部２０から両側の端部に向けて張出し高さを徐々に減少させた張出しスロープ部２６が設けられているので、容器本体１１の周壁部１５の上端部の外周面に沿って周方向に拭き取る操作を、スムーズに行うことが可能になると共に、上述の板状蓋体１２の庇状張出し部２４に斜め縁部２４ｂが設けられていることや、先端カバー壁２５が設けられていることと相俟って、ヒンジ付き封入容器１０の上端部分の外周面に沿って周方向に拭き取る操作を、さらにスムーズに行うことが可能になる。
【００２８】
なお、本発明は上記各実施形態に限定されることなく種々の変更が可能である。例えば、容器本体や板状蓋体は、略矩形の平面形状を備えている必要は必ずしも無く、略長円形や略楕円形等の、その他の種々の平面形状を備えていても良い。本体側連結部の一対の本体側回転係合部に係合ピンが、蓋体側連結部の一対の蓋側回転係合部に係合孔が、各々設けられていても良い。また、庇状張出し部に斜め縁部や先端カバー壁を設ける必要は必ずしも無い。庇状張出し部は、ヒンジ部の少なくとも一対の回転連結部の上方を覆って設けられていれば良く、上方から見た際に、例えば容器本体の本体側連結部の張出しスロープ部の一部が、庇状張出し部の外側にはみ出ていても良い。さらに、張出しスロープ部を設ける必要は必ずしも無く、張出しスロープ部２６は、図７や図８に示すように、周壁部１５の上端部の角部近傍部分に接続させることなく、その延設長さを適宜調整して設けることもできる。さらにまた、封入される収容物は、ウェットシートである必要は必ずしも無く、好ましくは湿潤状態を保持したり、乾燥状態を保持することが必要な、その他の種々の収容物であっても良い。
【００２９】
さらにまた、例えば図９に示すように、容器本体１１の周壁部１５の上端部に、両端部に係合ピンによる一対の本体側回転係合部２０’を備える横長の張出し台状の本体側連結部１９’を設けると共に、板状蓋体１２の庇状張出し部２４の下方に張り出して、蓋体側連結部２１’の一対の蓋側回転係合部２２’を、横長の本体側連結部１９’の長さと略同様の間隔をおいて、ピン孔が形成された回転対向面を対向させた状態で設けておき、本体側連結部１９’を両側から挟み込むようにして、一対の蓋側回転係合部２２’を、一対の本体側回転係合部２０’に回転可能に係合させせることで、ヒンジ部を形成することもできる。
【符号の説明】
【００３０】
１０  ヒンジ付き封入箱容器
１１  容器本体
１２  板状蓋体
１３  ヒンジ部
１４  容器本体の底壁部
１５  容器本体の周壁部
１６  本体側環状装着部
１７  板状蓋体の上面板
１７ａ  周縁部
１８  蓋体側環状装着部
１９  本体側連結部
２０  本体側回転係合部
２０ａ  孔側回転対向面
２１  蓋体側連結部
２２  蓋側回転係合部
２２ａ  ピン側回転対向面
２３  回転連結部
２４  庇状張出し部
２４ａ  先端縁部
２４ｂ  斜め縁部
２５  先端カバー壁
２６  張出しスロープ部
２７  周縁補強台
２８  スカート壁
２９  舌状係着壁
３０ａ  係着爪
３０ｂ  係着爪突起
【図１】
2014108794.tif 000003
【図２】
2014108794.tif 000004
【図３】
2014108794.tif 000005
【図４】
2014108794.tif 000006
【図５】
2014108794.tif 000007
【図６】
2014108794.tif 000008
【図７】
2014108794.tif 000009
【図８】
2014108794.tif 000010
【図９】
2014108794.tif 000011